(57)【要約】【課題】  合成物質から成る内部容器、金属格子または薄板から成る外側カバー部を有する、液体用移送兼貯蔵容器のためのパレット状の台枠１２は、フォークリフト、ラック操作機器、またはその種の他の移送手段によっての取扱いのために適合されている。本発明の課題は、フォークリフト、ラック操作機器、またはその種の他の移送手段によっての移送の際の、液体用移送兼貯蔵容器のための、冒頭に記載した様式の台枠の移送信頼性を改善することである。【解決手段】  この台枠１２は、貯蔵容器の内部容器の流出床部に適合された床部１３を備えており、この床部の下側面３２に、木角材４２として形成された載置部材３９が固定されている。これら木角材４２は、移送機器のグリップアームの上における移送の際の、この台枠１２の滑り防止部としての、および、この台枠床部１３の補強部としての役目を果たす。【選択図】      図４
2005154016.tif 000002
【特許請求の範囲】
【請求項１】
合成物質から成る内部容器、金属格子または薄板から成る外側カバー部を有する、液体用移送兼貯蔵容器のためのパレット状の台枠であって、
この台枠が、フォークリフト、ラック操作機器、またはその種の他の移送手段によっての取扱いのために適合されており、且つ、
隅脚部および中間脚部の上に位置している、薄板から成る床部を、閉鎖可能な注入用接続パイプ、および取出し管継手の接続のための排出用接続パイプを有して構成された内部容器の支持のために有しており、その際、
この内部容器が、流出床部を備えており、且つ、この流出床部に適合された台枠の床部が、長手方向縁部から、床部中心軸線への方向において、及び／または、後方の縁部から前方の縁部へと低下しており、または、この台枠の床部が、この内部容器の平らな床部に適合された平らな床部を備えている様式の上記台枠において、
それら載置部材でもって、台枠床部（１３）が、グリップアーム（３６、３７）を備える移送手段でもっての移送兼貯蔵容器（１）の移送の際に、これらグリップアームの上に載置する、台枠（１２）の床部（１３）の下側面（３２）の上に装着された、滑り阻止する載置部材（３９）を備えていること、
その際、この台枠床部（１３）の載置部材（３９）の製造材料、および、移送手段のグリップアーム（３６、３７）の製造材料が、可能な限り大きな摩擦係数を得るために相互に調和されているように構成されていること、
を特徴とする台枠。
【請求項２】
載置部材（３９）は、可撓性のまたは硬い円板（４０）または方形板（Platten）として形成されていることを特徴とする請求項１に記載の台枠。
【請求項３】
床部（１３）の載置部材（３９）は、ゴム、または合成物質から成ることを特徴とする請求項１または２に記載の台枠。
【請求項４】
床部（１３）の載置部材（３９）は、織物材料から製造されていることを特徴とする請求項１または２に記載の台枠。
【請求項５】
立体成形された表面（４１）を有する床部（１３）の載置部材（３９）を有することを特徴とする請求項１から４のいずれか一つに記載の台枠。
【請求項６】
載置部材（３９）は、台枠（１２）の床部（１３）と、ねじ止め、またはリベッット留めされていることを特徴とする請求項１から３のいずれか一つ、または請求項５に記載の台枠。
【請求項７】
載置部材（３９）は、台枠（１２）の床部（１３）と、接着されていることを特徴とする請求項１から５のいずれか一つに記載の台枠。
【請求項８】
台枠（１２）の床部（１３）の載置部材（３９）は、木または合成物質から成る、角材（４２）または板として形成されていることを特徴とする請求項１に記載の台枠。
【請求項９】
角材（４２）または板による、床部（１３）それ自体の補強部を有することを特徴とする請求項８に記載の台枠。
【請求項１０】
それ自体が勾配を有する床部（１３）の場合、角材（４２）は、相応する勾配を有して、床部下側面（３２）に固定されていることを特徴とする請求項８または９に記載の台枠。
【請求項１１】
それ自体が勾配を有する床部（１３）の場合、角材（４２）は、
この台枠床部の勾配に相応する、角材上側面の面取り、
外側から内側へと減少する深さ（４７）を有する条溝（４６）、または、
スペーサ部材によって、
台枠（１２）の接地面に対して平行に整向されている、
ことを特徴とする請求項８または９に記載の台枠。
【請求項１２】
角材（４２）は、四角形の様式で、台枠床部（１３）の中央領域（４５）に対して同心的に整向されていることを特徴とする請求項８から１１のいずれか一つに記載の台枠。
【請求項１３】
角材（４２）は、チューブリベット（４４）でもって、台枠床部（１３）に固定されていることを特徴とする請求項８から１２のいずれか一つに記載の台枠。
【請求項１４】
台枠（１２）の床部（１３）における、保持連結金具（４３）でもっての角材（４２）の固定部を有することを特徴とする請求項８から１２のいずれか一つに記載の台枠。
【請求項１５】
請求項１の上位概念による、液体用移送兼貯蔵容器のためのパレット状の台枠において、
グリップアーム（３６、３７）を備える移送機器でもっての液体用貯蔵容器（１）の移送の際にこれらグリップアーム（３６、３７）の上に載置する台枠（１２）の床部（１３）の下側面（３２）の、全表面的または部分的な、滑り阻止する被覆部を有しており、
その際、この台枠床部（１３）の被覆材料、および、移送手段のグリップアーム（３６、３７）の製造材料が、可能な限り大きな摩擦係数を得るために相互に調和されているように構成されていること、
を特徴とする台枠。
【請求項１６】
合成物質またはゴムのような材料でもっての、台枠（１２）の床部（１３）の下側面（３２）の被覆部を有することを特徴とする請求項１５に記載の台枠。
【請求項１７】
台枠（１２）の床部（１３）は、補強条溝（３３、３４）を有していることを特徴とする請求項１から１６のいずれか一つに記載の台枠。
【発明の詳細な説明】
【技術分野】
【０００１】
本発明は、合成物質から成る内部容器、金属格子または薄板から成る外側カバー部を有する、液体用移送兼貯蔵容器のためのパレット状の台枠であって、
この台枠が、フォークリフト、ラック操作機器、またはその種の他の移送手段によっての取扱いのために適合されており、且つ、
隅脚部および中間脚部の上に位置している、薄板から成る床部を、閉鎖可能な注入用接続パイプ、および取出し管継手の接続のための排出用接続パイプを有して構成された内部容器の支持のために有しており、その際、
この内部容器が、流出床部を備えており、且つ、この流出床部に適合された台枠の床部が、長手方向縁部から、床部中心軸線への方向において、及び／または、後方の縁部から前方の縁部へと低下しており、または、この台枠の床部が、この内部容器の平らな床部に適合された平らな床部を備えている、
上記台枠に関する。
【背景技術】
【０００２】
フォークリフトを用いての、この台枠の上に位置する、充填された、または空の液体容器と共に、ドイツ連邦共和国特許第１００  ６２  ０８８号明細書（特許文献１）から公知の、この様式の台枠の移送の場合、曲線走行の際、減速の際、移送車両からの容器の積み込み、および、この容器の移送車両からの荷下ろしの際、並びに、走行路の上に存在する障害物における予期せぬ衝突の際に、この液体容器を有する台枠が、このフォークリフトのグリップアームから滑り落ちる、および、床部の上で突き当たるという危険が存在する。このことは、このフォークリフトのこれらグリップアームから滑り落ちる容器積み重ね体が転倒する場合、特に、フォークリフトでもっての多数の積み重ねられた移送兼貯蔵容器の移送の際に、危険な諸状況を誘起する。
【特許文献１】ドイツ連邦共和国特許第１００  ６２  ０８８号明細書
【発明の開示】
【発明が解決しようとする課題】
【０００３】
従って、本発明の根底をなす課題は、フォークリフト、ラック操作機器、またはその種の他の移送手段によっての移送の際の、液体用移送兼貯蔵容器のための、冒頭に記載した様式の台枠の移送信頼性を改善することである。
【課題を解決するための手段】
【０００４】
この課題は、本発明に従い、請求項１および１５による、パレット状の台枠によって解決される。
【発明の効果】
【０００５】
従属請求項は、本発明の有利な、且つ合目的な更なる構成を備えている。
【０００６】
それら載置部材でもって、容器が、グリップアームを有する移送手段によっての移送の際に、この移送手段のグリップアームの上で載置する、滑り阻止する載置部材を有する本発明による液体用移送兼貯蔵容器のパレット状の台枠の装備によって、
および、可能な限り大きな摩擦係数を得るための、載置部材の製造材料、および、グリップアームの製造材料の相互の調和によって、
一つまたは多数の積み重ねられた液体容器の滑り落ちは、充填状態および空の状態において、移送車両への積み込み、および移送車両からの積み下ろしの際に、および、移送の際に回避され、従って、この液体容器は、高い移送信頼性によって特徴付けられている。この液体容器の移送信頼性は、移送の際に移送手段のグリップアームの上に載置する、液体容器の台枠床部の下側面の、全表面的または部分的な、合成物質被覆部またはゴム被覆部によっても達せられる。
【０００７】
次に、図に基づいて、本発明を説明する。
【発明を実施するための最良の形態】
【０００８】
使い捨て兼通い容器として使用される、液体用移送兼貯蔵容器１は、主構造部材として、
天板５において蓋４でもって閉鎖可能な注入用接続パイプ３を、および、取出し管継手８の接続のための底板７の領域内において排出用接続パイプ６を備え付けられている、合成物質から成る交換可能な直方体形状の内部容器２と、
交差する水平方向、および垂直方向の、金属製の格子ロッド１０、１１から成る外側カバー部９と、並びに、
ヨーロッパ規格の長さおよび幅寸法を有するパレット状の台枠１２とを有しており、
この台枠が、フォークリフト、ラック操作機器、またはその種の他の移送手段による取扱いのために適合されている。
【０００９】
移送兼貯蔵容器１の台枠１２は、内部容器２を支持するための薄板から成る床部１３を備えている。この台枠１２の床部１３は、薄板から成る４つの隅脚部１４〜１７、および、４つの中間脚部１８〜２１の上に位置しており、これら脚部が、鋼製管体フレームとして形成された脚部フレーム２２の上に固定されている。
【００１０】
台枠１２の床部１３の下側において、中央に、床部中心軸線２３−２３に対して横方向に指向する架橋状に形成された補強薄板２４が、下支えの様式によりねじで固定されており、この補強薄板の両方の端部２４ａ、２４ｂに、両方の中間脚部１９、２１が、１つの部材から成るように附設して形成されている。
【００１１】
内部容器２の底板７は、中央の平らな流出溝部２５を有する流出床部として形成されており、この流出溝部が、軽度の勾配でもって、後方壁２６から、内部容器２の前方壁２７に設けられた排出用接続パイプ６へと指向している。この内部容器２の底板７に適合された、台枠１２の床部１３は、長手方向縁部２８、２９から床部中心軸線２３−２３へ、および、後方の縁部３０から前方の縁部３１へと低下している。
【００１２】
図２に図示された台枠１２の床部１３は、床部下側面３２に向かって成形された、床部中心軸線２３−２３の方向において、およびこの床部中心軸線２３−２３に対して横方向に指向する補強条溝３３、３４を有しており、これら補強条溝の条溝底部３５が、共通の水平の面内において位置しており、従って、移送兼貯蔵容器１の台枠１２の床部１３が、水平方向に、台枠床部１３の下に押込まれる、フォークリフトまたはラック操作機器のグリップアーム３６、３７の上に載置する。
【００１３】
台枠１２の床部１３の、中間の溝部状の凹部３８の下側面３８ａ、床部下側面３２の上に成形された補強条溝３４、および補強薄板２４の上に、滑り阻止する載置部材３９が装着されており、これら載置部材でもって、台枠床部１３は、フォークリフトでもっての移送兼貯蔵容器１の移送の際に、このフォークリフトのグリップアーム３６、３７の上に載置する。これら載置部材３９は、合成物質、またはゴムから成る、可撓性の円板４０として形成されており、これら載置部材が、台枠１２の床部１３と接着されており、且つ、摩擦係数の増大のために、立体成形された表面４１を有していても良い。
【００１４】
更に、台枠床部１３の載置部材３９は、織物材料から形成されていても良い。
【００１５】
適当な厚さ、および材料強度の場合、円板４０として形成された、滑り阻止する載置部材３９は、台枠１２の台枠床部１３と、ねじ止めまたはリベット留めされ得る。
【００１６】
図３は、移送兼貯蔵容器１の内部容器２の底板７に適合された床部１３を有する台枠１２を示しており、この床部に、木角材４２として形成された載置部材３９が、この床部１３の床部下側面３２に溶接されている保持連結金具４３でもって固定されている。この木角材４２は、移送機器のグリップアーム３６、３７の上での移送の際に、この台枠１２の滑り防止部として、および、この台枠床部１３の補強部としての役目を果たす。この木角材の代わりに、粗い表面を有する合成物質角材も、容器台枠のための滑り阻止する載置部材として使用され得る。
【００１７】
図４および５から、チューブリベット４４によっての、台枠１２の床部１３における木角材４２の固定部が明瞭である。
【００１８】
これら木角材４２は、四角形の様式で、台枠床部１３の中央領域４５に対して同心的に整向されている。このようにして、移送兼貯蔵容器１のパレット状の台枠１２が、全て４つの側面から、移送機器のグリップアーム３６、３７によって下を通り抜けることができること、および、液体容器１の上昇の際に、これら木角材４２を有する台枠床部１３が、移送機器のグリップアーム３６、３７の上において載置することは保証される。
【００１９】
図６により、木角材４２は、台枠床部１３の勾配に相応する勾配を有して、または、図７に相応して、台枠１２の接地面に対して水平方向即ち平行に、この床部１３の下側面３２において固定されている。
【００２０】
図７は、木角材４２の水平方向の整向が、台枠床部１３の適当な条溝４６に沿ってのこれら木角材の固定によって達せられることを明瞭に示しており、これら条溝の深さ４７は、外側から内側へと減少し、且つ、このことによって、条溝底部４８が水平方向に指向する。
【００２１】
木角材の水平方向の整向は、更に、台枠床部の勾配に相応する、この床部の下側面に当接する角材上側面の面取り、または適当なスペーサ部材によって行われる。
【００２２】
グリップアーム３６、３７を備える移送機器でもっての移送のための、移送兼貯蔵容器の台枠１２の滑り阻止する構成の更に別の様式は、台枠床部１３とグリップアーム３６、３７との間の可能な限り大きな摩擦係数を得るための、合成物質またはゴムのような材料でもっての、これらグリップアーム３６、３７の上に載置する台枠床部１３の下側面３２の、全表面的または部分的な被覆部にある。
【００２３】
載置部材でもっての台枠床部の設備による、または、台枠床部の下側面と、移送機器のグリップアームの載置面との間の、可能な限り大きな摩擦係数を得るための台枠床部の被覆部による、液体用移送兼貯蔵容器のためのパレット状の台枠の、前記の滑り阻止する構成は、同じやり方で、移送兼貯蔵容器の内部容器の平らな床部に適合された平らな床部を有する台枠床部のために適している。
【図面の簡単な説明】
【００２４】
【図１】パレット状の台枠を有する移送兼貯蔵容器の透視図である。
【図２】円板として合成物質またはゴムから形成された載置部材を有する、図１による、移送兼貯蔵容器の台枠床部の透視的な下面図である。
【図３】床部に保持連結金具によって固定されている、木角材として形成された載置部材を有する、台枠床部の透視的な下面図である。
【図４】リベットで固定された木角材を有する、台枠床部の、図３に相応する下面図である。
【図５】台枠床部における、チューブリベットでもっての木角材の固定の図である。
【図６】台枠床部の勾配を有してこの台枠床部に装着された、木角材の縦断面図である。
【図７】台枠床部に、台枠の接地面に対して平行に固定された木角材の縦断面図である。
【符号の説明】
【００２５】
１    移送兼貯蔵容器、  液体容器
２    内部容器
３    注入用接続パイプ
４    蓋
５    天板
６    排出用接続パイプ
７    底板
８    取出し管継手
９    外側カバー部
１０、１１  格子ロッド
１２  台枠
１３  床部、  台枠床部
１４、１５、  １６、１７  隅脚部
１８、１９、２０、２１  中間脚部
２２  脚部フレーム
２３  床部中心軸線
２４  補強薄板
２５  流出溝部
２６  後方壁
２７  前方壁
２８、２９  長手方向縁部
３０  後方の縁部
３１  前方の縁部
３２  床部下側面
３３、３４  補強条溝
３５  条溝底部
３６、３７  グリップアーム
３８  凹部
３９  載置部材
４０  円板
４１  立体成形された表面
４２  木角材
４３  保持連結金具
４４  チューブリベット
４５  中央領域
４６  条溝
４７  深さ
４８  条溝底部
【図１】
2005154016.tif 000003
【図２】
2005154016.tif 000004
【図３】
2005154016.tif 000005
【図４】
2005154016.tif 000006
【図５】
2005154016.tif 000007
【図６】
2005154016.tif 000008
【図７】
2005154016.tif 000009